(57)【要約】  【課題】  通信相手先からの着信または通信相手先への発信に際し、入力された電話番号に係る通信相手先の情報を精度良く出力可能な電話装置を提供することを目的とする。  【解決手段】  複合機１に入力された電話番号を第１番号列（市外局番）、第２番号列（市内局番）、第３番号列（加入者番号）に分割し、この分割した第１〜第３番号列に一致する複数の番号列を検索キーワードとしてインターネット上の検索エンジン９０を介して検索し、その検索結果をディスプレイ１２５に表示可能な複合機１としたものである。【選択図】        図１
2008236459.tif 000002
【特許請求の範囲】
【請求項１】
電話番号を入力する入力装置と、
前記入力装置により入力された電話番号を記憶する主記憶装置と、
前記主記憶装置に記憶された電話番号から、市外局番に係る第１番号列、市内局番に係る第２番号列及び加入者番号に係る第３番号列を各々特定可能な特定装置と、
前記特定手段により特定された第１番号列、第２番号列及び第３番号列の各々に一致する番号列を、インターネット上の検索エンジンに対して検索キーワードとして送信可能な送信装置と、
前記送信装置により送信された検索キーワードに係る検索結果を受信する受信手段と、
前記受信手段により受信された検索結果を出力する出力装置と、を備えていることを特徴とする電話装置。
【請求項２】
電話番号を入力する入力装置と、
前記入力装置により入力された電話番号を記憶する主記憶装置と、
前記主記憶装置に記憶された電話番号から、市外局番に係る第１番号列、市内局番に係る第２番号列及び加入者番号に係る第３番号列を各々特定可能な特定装置と、
前記特定手段により特定された第１番号列、第２番号列及び第３番号列の各々に一致する番号列を、インターネット上の検索エンジンに対して検索キーワードとして送信可能な送信装置と、
前記送信手段により送信された検索キーワードに係る検索結果において特定されるアドレス情報にしたがい、前記アドレス情報に係るウェブサイトにアクセス可能なアクセス装置と、
前記検索結果と、前記ウェブサイトより送信されるデータを受信する受信手段と、
前記受信手段により受信されたデータを出力する出力装置と、を備えていることを特徴とする電話装置。
【請求項３】
前記電話装置が設置されている地域の市外局番を記憶する第１補助記憶装置と、
前記入力装置により入力された電話番号が、前記市外局番を省略するものであるかを判定する第１判定装置と、
前記第１判定装置により前記市外局番を省略するものであると判定されたことを条件として、前記第１補助記憶装置が記憶する市外局番を第１番号列とする置換手段と、を備えていることを特徴とする請求項１または請求項２に記載の電話装置。
【請求項４】
電話番号を入力する入力装置と、
前記入力装置により入力された電話番号を記憶する主記憶装置と、
前記主記憶装置に記憶された電話番号から、市内局番に係る第２番号列及び加入者番号に係る第３番号列を各々特定可能な特定装置と、
前記特定手段により特定された第２番号列及び第３番号列の各々に一致する番号列を、インターネット上の検索エンジンに対して検索キーワードとして送信可能な送信装置と、
前記送信装置により送信された検索キーワードに係る検索結果を受信する受信手段と、
前記受信手段により受信された検索結果を出力する出力装置と、を備えていることを特徴とする電話装置。
【請求項５】
電話番号を入力する入力装置と、
前記入力装置により入力された電話番号を記憶する主記憶装置と、
前記主記憶装置に記憶された電話番号から、市内局番第２番号列及び加入者番号に係る第３番号列を各々特定可能な特定装置と、
前記特定手段により特定された第２番号列及び第３番号列の各々に一致する番号列を、インターネット上の検索エンジンに対して検索キーワードとして送信可能な送信装置と、
前記送信手段により送信された検索キーワードに係る検索結果において特定されるアドレス情報にしたがい、前記アドレス情報に係るウェブサイトにアクセス可能なアクセス装置と、
前記検索結果と、前記ウェブサイトより送信されるデータを受信する受信手段と、
前記受信手段により受信されたデータを出力する出力装置と、を備えていることを特徴とする電話装置。
【請求項６】
前記入力装置により入力される電話番号が、前記電話装置を利用し発信しようとする利用者操作による場合において、前記電話装置は、前記出力装置に係る出力を条件として、前記主記憶装置に記憶される電話番号にしたがった発信を実行する、ことを特徴とする請求項１乃至請求項５のいずれか１項に記載の電話装置。
【請求項７】
前記入力装置により入力される電話番号が、交換機からの送信に係る場合において、前記電話装置は、前記出力装置に係る出力を条件として、前記着信に係る報知を実行する、ことを特徴とする請求項１乃至請求項６のいずれか１項に記載の電話装置。
【請求項８】
前記電話番号と、前記電話番号に対応する名称を関連付けて記憶する第２補助記憶装置と、
前記主記憶装置に記憶された電話番号を含む電話番号が、前記補助記憶装置に記憶されているかを判定する第２判定装置と、を備え、
前記送信装置は、前記第２判定装置により前記主記憶装置に記憶された電話番号が前記補助記憶装置に含まれていると判定されたことを条件として、前記番号列の送信を禁止し、
前記出力装置は、前記第２判定装置により前記主記憶装置に記憶された電話番号が前記補助記憶装置に含まれていると判定されたことを条件として、前記主記憶装置に記憶された電話番号を含む電話番号に対応する前記名称を出力する、ことを特徴とする請求項１乃至請求項７のいずれか１項に記載の電話装置。
【発明の詳細な説明】
【技術分野】
【０００１】
本発明は、氏名、名称およびこれらの略称その他の通信相手先に係る情報（以下、「相手先情報」ともいう。）を表示可能な電話装置に係るものである。
【背景技術】
【０００２】
発信時の電話番号の入力を補助するいわゆる電話帳機能を備えた電話装置であって、着信時に交換機から送信された電話番号と同一の電話番号が電話帳に登録されている場合、この電話番号に対応して登録されている相手先情報を表示部に表示する電話装置が提案されている（例えば、特許文献１参照）。
【０００３】
なお、発信時に際し利用者のダイヤルキーの押下によって入力された電話番号と同一の電話番号が電話帳に登録されている場合に、その電話番号に対応して電話帳に登録されている相手先情報を表示部に表示する電話装置についても実用化されている。
【特許文献１】特開２００１−３６６３３号公報
【発明の開示】
【発明が解決しようとする課題】
【０００４】
しかしながら、上記従来の技術によれば、通信相手先の情報を電話装置の表示部たる出力装置に出力させるためには、電話番号と通信相手先の情報が対応して電話帳に登録されている必要があるところ、必ずしも電話帳に登録された通信相手先からのみ着信があるとは限らない。なお、このようなことは発信においても同様である。
【０００５】
本発明は、通信相手先からの着信または通信相手先への発信に際し、入力された電話番号に係る通信相手先の情報を精度良く出力可能な電話装置を提供することを目的とする。
【課題を解決するための手段】
【０００６】
上記従来の課題に鑑みなされた本発明は、電話装置に入力された電話番号を複数個の番号列に分割し、この分割した番号列を検索キーワードとしてインターネット上の検索エンジンを介して検索し、その検索に係る情報を出力可能な装置としたものである。
【発明の効果】
【０００７】
本願の請求項１に係る発明によれば、相手先からの着信または相手先への発信に際し、入力された電話番号に係る通信相手先の情報を精度良く出力可能な電話装置を得ることができる。
【０００８】
請求項２に係る発明によれば、相手先からの着信または相手先への発信に際し、入力された電話番号に係る通信相手先の詳細な情報を精度良く出力可能な電話装置を得ることができる。
【０００９】
請求項３に係る発明によれば、相手先からの着信または相手先への発信に際し、入力された電話番号に係る通信相手先の情報を、入力される電話番号の態様に係らず精度良く出力可能な電話装置を得ることができる
請求項４に係る発明によれば、相手先からの着信または相手先への発信に際し、入力された電話番号に係る通信相手先の情報を精度良く出力可能な電話装置を得ることができる。
【００１０】
請求項５に係る発明によれば、相手先からの着信または相手先への発信に際し、入力された電話番号に係る通信相手先の詳細な情報を精度良く出力可能な電話装置を得ることができる
請求項６に係る発明によれば、いわゆる所望の通信相手先とは異なる通信相手先への電話、いわゆる間違い電話を抑制することができる。
【００１１】
請求項７に係る発明によれば、通信相手先を特定できた状態で、電話に出ることができる。
【００１２】
請求項８に係る発明によれば、電話装置において実行される処理の効率を向上させることができる。なお、ネットワークシステムを構成する装置として、ネットワークトラフィックを抑制することができる。
【発明を実施するための最良の形態】
【００１３】
本願の請求項１に係る発明は、電話番号を入力する入力装置と、前記入力装置により入力された電話番号を記憶する主記憶装置と、前記主記憶装置に記憶された電話番号から、市外局番に係る第１番号列、市内局番に係る第２番号列及び加入者番号に係る第３番号列を各々特定可能な特定装置と、前記特定手段により特定された第１番号列、第２番号列及び第３番号列の各々に一致する番号列を、インターネット上の検索エンジンに対して検索キーワードとして送信可能な送信装置と、前記送信装置により送信された検索キーワードに係る検索結果を受信する受信手段と、前記受信手段により受信された検索結果を出力する出力装置と、を備えていることを特徴とする電話装置である。
【００１４】
これにより、インターネット上のウェブサイトで広く用いられている電話番号の掲載態様に合致する検索キーワードとすることができる。
【００１５】
請求項２に係る発明は、電話番号を入力する入力装置と、前記入力装置により入力された電話番号を記憶する主記憶装置と、前記主記憶装置に記憶された電話番号から、市外局番に係る第１番号列、市内局番に係る第２番号列及び加入者番号に係る第３番号列を各々特定可能な特定装置と、前記特定手段により特定された第１番号列、第２番号列及び第３番号列の各々に一致する番号列を、インターネット上の検索エンジンに対して検索キーワードとして送信可能な送信装置と、前記送信手段により送信された検索キーワードに係る検索結果において特定されるアドレス情報にしたがい、前記アドレス情報に係るウェブサイトにアクセス可能なアクセス装置と、前記検索結果と、前記ウェブサイトより送信されるデータを受信する受信手段と、前記受信手段により受信されたデータを出力する出力装置と、を備えていることを特徴とする電話装置である。
【００１６】
これにより、インターネット上のウェブサイトで広く用いられている電話番号の掲載態様に合致する検索キーワードとすることができる。
【００１７】
請求項３に係る発明は、前記電話装置が設置されている地域の市外局番を記憶する第１補助記憶装置と、前記入力装置により入力された電話番号が、前記市外局番を省略するものであるかを判定する第１判定装置と、前記第１判定装置により前記市外局番を省略するものであると判定されたことを条件として、前記第１補助記憶装置が記憶する市外局番を第１番号列とする置換手段と、を備えていることを特徴とする請求項１または請求項２に記載の電話装置である。
【００１８】
これにより、入力される電話番号から特定可能な検索キーワードとしての番号列の数を増加させることができる。
【００１９】
請求項４に係る発明は、電話番号を入力する入力装置と、前記入力装置により入力された電話番号を記憶する主記憶装置と、前記主記憶装置に記憶された電話番号から、市内局番に係る第２番号列及び加入者番号に係る第３番号列を各々特定可能な特定装置と、前記特定手段により特定された第２番号列及び第３番号列の各々に一致する番号列を、インターネット上の検索エンジンに対して検索キーワードとして送信可能な送信装置と、前記送信装置により送信された検索キーワードに係る検索結果を受信する受信手段と、前記受信手段により受信された検索結果を出力する出力装置と、を備えていることを特徴とする電話装置である。
【００２０】
これにより、インターネット上のウェブサイトで広く用いられている電話番号の掲載態様に合致する検索キーワードとすることができる。
【００２１】
請求項５に係る発明は、電話番号を入力する入力装置と、前記入力装置により入力された電話番号を記憶する主記憶装置と、前記主記憶装置に記憶された電話番号から、市内局番第２番号列及び加入者番号に係る第３番号列を各々特定可能な特定装置と、前記特定手段により特定された第２番号列及び第３番号列の各々に一致する番号列を、インターネット上の検索エンジンに対して検索キーワードとして送信可能な送信装置と、前記送信手段により送信された検索キーワードに係る検索結果において特定されるアドレス情報にしたがい、前記アドレス情報に係るウェブサイトにアクセス可能なアクセス装置と、前記検索結果と、前記ウェブサイトより送信されるデータを受信する受信手段と、前記受信手段により受信されたデータを出力する出力装置と、を備えていることを特徴とする電話装置である。
【００２２】
これにより、インターネット上のウェブサイトで広く用いられている電話番号の掲載態様に合致する検索キーワードとすることができる。
【００２３】
請求項６に係る発明は、前記入力装置により入力される電話番号が、前記電話装置を利用し発信しようとする利用者操作による場合において、前記電話装置は、前記出力装置に係る出力を条件として、前記主記憶装置に記憶される電話番号にしたがった発信を実行する、ことを特徴とする請求項１乃至請求項５のいずれか１項に記載の電話装置である。
【００２４】
これにより、利用者による操作に基づき行われる発信に際し、発信対象となる通信相手先の情報を提供することができる。
【００２５】
請求項７に係る発明は、前記入力装置により入力される電話番号が、交換機からの送信に係る場合において、前記電話装置は、前記出力装置に係る出力を条件として、前記着信に係る報知を実行する、ことを特徴とする請求項１乃至請求項６のいずれか１項に記載の電話装置である。
【００２６】
これにより、利用者に対する着信があった旨の報知に際し、発信してきた通信相手先の情報を提供することができる。
【００２７】
請求項８に係る発明は、前記電話番号と、前記電話番号に対応する名称を関連付けて記憶する第２補助記憶装置と、前記主記憶装置に記憶された電話番号を含む電話番号が、前記補助記憶装置に記憶されているかを判定する第２判定装置と、を備え、前記送信装置は、前記第２判定装置により前記主記憶装置に記憶された電話番号が前記補助記憶装置に含まれていると判定されたことを条件として、前記番号列の送信を禁止し、前記出力装置は、前記第２判定装置により前記主記憶装置に記憶された電話番号が前記補助記憶装置に含まれていると判定されたことを条件として、前記主記憶装置に記憶された電話番号を含む電話番号に対応する前記名称を出力する、ことを特徴とする請求項１乃至請求項７のいずれか１項に記載の電話装置である。
【００２８】
これにより、通信相手先の情報について、重複した出力装置への出力を防止することができる。なお、番号列のネットワークへの送信が禁止されることから、ネットワーク上を流れるデータ量を抑制することができる。
【００２９】
なお、上記請求項１乃至請求項８に係る発明は、電話装置の各構成が物理的に一体であるか、又は、別体であるかについて、特に、拘泥するものではない。また、上記請求項１乃至請求項８に記載の電話装置は、これらに記載の各構成を備え、公衆通信回線に直接又は間接的に接続される装置をいう。
【実施例】
【００３０】
以下、本発明の電話装置について、図面を用いて具体的に説明する。なお、本発明は以下に記載の構成に限定されるものではなく、同一の技術的思想において種々の構成を採用することが可能である。
【００３１】
（実施例１）
図１は、電話装置としてのいわゆる複合機の構成を含むシステムの全体を示したものであり、この複合機１はファクシミリ機能、電話機能、プリンタ機能およびスキャナ機能を備えている。また、複合機１は、パーソナルコンピュータ（以下、「ＰＣ」という。）用インターフェース１１１を介してローカルエリアネットワーク（以下、「ＬＡＮ」という。）に接続される。そして、複合機１は、このＬＡＮ上のＰＣ８０とデータ通信が可能であるとともに、ルータ１００を介してインターネット上の検索エンジン９０ともデータ通信ができる。
【００３２】
複合機１は、通信ユニット１０とプリンタユニット２０がインターフェース３０を介して接続されている。例えば、複合機１は、ＬＡＮ上のＰＣから印刷データを受信した場合、これをプリンタユニット２０において記録媒体上に印刷して出力可能である。
【００３３】
通信ユニット１０には、通信制御回路１０１が設けられ、この通信制御回路１０１には複数の要素が接続されている。
【００３４】
ＣＰＵ１０３は、ＲＯＭ１０５に記憶された制御プログラム（下記処理を含む各処理を実行させるためのプログラム）にしたがい、通信ユニット１０自体を制御する。
【００３５】
不揮発性のメモリであるＥＥＰＲＯＭ１０９は、例えば、通信相手先の名称と電話番号を関連付けて記憶し、いわゆる電話帳として機能するするとともに、回線インターフェース１１３が、電話番号に先立ち送信される第１呼出信号（例えば、ハイレベル（Ｈ）とローレベル（Ｌ）の期間共に０．５ｓｅｃで、ハイレベル（Ｈ）の期間（６回）に交換機４０から送信される信号の周波数が１６Ｈｚの信号。）の受信にともなう回線閉結を行うために用いる交換機４０と通信可能な状態で公衆通信回線５０を介して接続されたときの閉結条件を記憶する。
【００３６】
また、ＥＥＰＲＯＭ１０９は、複合機１が設置されている地域の市外局番およびこの市外局番を含む各地域の市外局番を記憶している。
【００３７】
さらに、ＥＥＰＲＯＭ１０９は、インターネット上の検索エンジン９０のＵＲＬ（Ｕｎｉｆｏｒｍ  Ｒｅｓｏｕｒｃｅ  Ｌｏｃａｔｏｒ）を記憶している。
【００３８】
なお、ＥＥＰＲＯＭ１０９が記憶する電話番号及び市外局番は、例えば、ＡＳＣＩＩコードの形式で記憶されている。
【００３９】
回線インターフェース１１３は半導体化ＤＡＡ１１３０を備えており、直接、公衆通信回線５０を介して交換機４０に接続されるものであり、電話番号と、この電話番号に先立ち送信される第１呼出信号と、この電話番号の送信後に送信される第２呼出信号（例えば、ハイレベル（Ｈ）の期間が１ｓｅｃ，ローレベル（Ｌ）の期間が２ｓｅｃで、ハイレベル（Ｈ）の期間に交換機４０から送信される信号の周波数が１６Ｈｚの信号。）を受信するとともに、これら第１呼出信号および第２呼出信号の受信にともなう回線閉結を制御する。
【００４０】
通信モデム１１５は、通信相手先（図示せず。）との間で送受信されるデータを符号器１１９で圧縮し、この圧縮されたデータを変調し、また、通信相手先から送信されてきたデータを復調する。なお、通信モデム１１５により復調されたデータは復号器１２１で解凍され利用される。
【００４１】
その他、各種情報を利用者に提示するためのディスプレイ１２５、操作パネル１２７、等により通信ユニット１０は構成されている（詳細は図１参照）。ここで、操作パネル１２７は、複合機１の利用者による指示、例えば、ディスプレイ１２５に表示されている情報の中から特定の情報を選択するための選択キー、ＥＥＰＲＯＭ１０９が記憶する電話番号および複合機１が設置されている地域の市外局番、または、発信に際し通信相手先の電話番号を直接入力するためのダイヤルキー、ＥＥＰＲＯＭ１０９が記憶する検索エンジン９０のＵＲＬを入力するための文字キー（ダイヤルキーがこれを兼ねる場合もある。）等により構成されている。なお、発信に際し利用者が操作パネル１２７を操作し直接入力した電話番号は、ＲＡＭ１０７に記憶される。
【００４２】
プリンタユニット２０には、プリンタ制御回路２０１が設けられ、このプリンタ制御回路２０１には、プリンタユニット２０の各種動作を制御するＣＰＵ２０３等が接続されている（詳細は図１参照）。なお、プリンタユニット２０は、ＰＣ用インターフェース２０９を介してＰＣとローカルに接続可能である。
【００４３】
図２は、交換機４０から複合機１に送信されてくる信号を示した図である。先ず、極性反転信号（図示せず。）が交換機４０から送信されてきた後、第1呼出信号が送信されてくる。回線インターフェース１１３は、第１呼出信号を受信すると、次に送信されてくる電話番号を受信するために、ＥＥＰＲＯＭ１０９に記憶されている閉結条件に基づき交換機４０との回線閉結のための処理を行う。この回線閉結のための処理は図２に記載の第１閉結期間内に行われる。なお、回線閉結のための処理についての詳細については、その説明を省略する。
【００４４】
回線インターフェース１１３は電話番号を受信し、電話番号はＲＡＭ１０７に記憶される。その後、回線インターフェース１１３は、一端、交換機４０との接続を開放する（図２の「回線開放」の期間内に開放される。）。
【００４５】
そして、第２呼出信号の受信に基づき、複合機１に備えられたスピーカ（図示せず。）を介して呼出音を発し、着信があることを複合機１の利用者に知らせる。そして、利用者がこの呼出音に応じて受話器１０を取り上げることを条件に、回線インターフェース１１３は、再度、交換機４０との回線閉結のための処理を行う。
【００４６】
図３は、発信時の利用者による操作パネル１２７の操作または着信時の回線インターフェース１１３による受信、によって電話番号が入力され、ＲＡＭ１０７に記憶されたことを条件として、ＣＰＵ１０３が実行する処理を示す。なお、この処理は、複合機１の電源が入れられた後、他の処理と並行して実行される。
【００４７】
先ず、ＣＰＵ１０３は、ＲＡＭ１０７が記憶する電話番号を一部または全部含む電話番号が、ＥＥＰＲＯＭ１０９の電話帳としての記憶領域に記憶されているか否かを判定する（Ｓ１００）。
【００４８】
なお、ＲＡＭ１０７が記憶する電話番号を一部に含む電話番号が、ＥＥＰＲＯＭ１０９の電話帳としての記憶領域に記憶されている場合とは、ＲＡＭ１０７が記憶する電話番号には市外局番が含まれていないのに対して、ＥＥＰＲＯＭ１０９には市外局番を含む形式で電話番号が記憶されている場合である。具体的には、ＲＡＭ１０７に「１３４６７８９」が記憶され、ＥＥＰＲＯＭ１０９に「０５２１３４６７８９」が記憶されている場合が、これに相当する。
【００４９】
また、ＲＡＭ１０７が記憶する電話番号を全部含む電話番号が、ＥＥＰＲＯＭ１０９の電話帳としての記憶領域に記憶されている場合とは、両電話番号が一致する場合である。具体的には、ＲＡＭ１０７とＥＥＰＲＯＭ１０９に「１３４６７８９」または「０５２１３４６７８９」が記憶されている場合が、これに相当する。
【００５０】
Ｓ１００における判断の結果、その判断が肯定される場合（Ｓ１００：ＹＥＳ）、ＣＰＵ１０３は、Ｓ１０２へ移行する。そして、ＣＰＵ１０３は、ＲＡＭ１０７が記憶する電話番号と同一の電話番号に関連付けてＥＥＰＲＯＭ１０９に記憶されている通信相手先の名称をディスプレイ１２５に表示するよう通信ユニット１０を制御する（Ｓ１０２）。
【００５１】
これに対し、Ｓ１００における判断の結果、その判断が否定される場合（Ｓ１００：ＮＯ）、ＣＰＵ１０３は、続けてＳ１０４の処理を実行する。
【００５２】
Ｓ１０４において、ＣＰＵ１０３は、ＲＡＭ１０７が記憶する電話番号に対して市外局番が省略されているか否かを判定する。ここで、本出願時において日本国内における固定電話（一般的に複合機１のような装置は固定電話である。）の電話番号は１０桁である。したがって、Ｓ１０４においては１０桁であるか否かを、市外局番が省略されているか否かを判定の基準として採用している。
【００５３】
すなわち、Ｓ１０４による判定は、ＲＡＭ１０７が記憶する電話番号の桁数が１０桁に満たない場合、市外局番が省略されていると判定し（Ｓ１０４：ＹＥＳ）、Ｓ１０６へ移行する。これに対し、１０桁である場合、市外局番は省略されていないものと判定し（Ｓ１０４：ＮＯ）、Ｓ１０８へ移行する。
【００５４】
Ｓ１０６において、ＣＰＵ１０３は、ＲＡＭ１０７が記憶する電話番号の先頭にＥＥＰＲＯＭ１０９に記憶された自装置が設置されている地域の市外局番を付け加え、Ｓ１０８へ移行する。なお、Ｓ１０６により、ＲＡＭ１０７に記憶されている電話番号の桁数を１０桁にすることができる。
【００５５】
Ｓ１０８において、ＣＰＵ１０３は、先ず、ＲＡＭ１０７に記憶されている電話番号から、市外局番に相当する第１番号列、市内局番に相当する第２番号列及び加入者番号に相当する第３番号列を特定し、Ｓ１１０へ移行する。
【００５６】
ここで、Ｓ１０８において実行される第１〜第３番号列の特定について具体的に説明すると、先ず、ＣＰＵ１０３は、加入者番号に相当する第３番号列を特定する。具体的には、ＣＰＵ１０３は、ＲＡＭ１０７が記憶する電話番号の下４桁を、第３番号列として特定する。
【００５７】
つづけて、ＣＰＵ１０３は、ＥＥＰＲＯＭ１０９に記憶されている各地域の市外局番各々と、ＲＡＭ１０７に記憶されている電話番号に基づき市外局番に相当する第１番号列を特定する。具体的に説明すると、ＣＰＵ１０３は、ＥＥＰＲＯＭ１０９に記憶されている各地域の市外局番から１つを選択し、これと同一桁数の番号列をＲＡＭ１０７に記憶されている電話番号の先頭から抽出するとともに、選択された市外局番と抽出された番号列が一致しているか否かを判定する。
【００５８】
判定の結果、一致していた場合、ＣＰＵ１０３は、一致する市外局番を第１番号列として特定する。一方、ＣＰＵ１０３は、一致していないと判定した場合、他の市外局番を選択し、これについて上記同様の処理を、第１番号列を特定するまで繰り返し実行する。
【００５９】
最後に、ＣＰＵ１０３は、残部、すなわち、第３番号列および第１番号列として特定されなかった番号を市内局番に相当する第２番号列として特定する。
【００６０】
Ｓ１１０において、ＣＰＵ１０３は、ＥＥＰＲＯＭ１０９から検索エンジン９０のＵＲＬを読み出すとともに、このＵＲＬによって特定される検索エンジン９０に対して、上記Ｓ１０８で特定された第１番号列、第２番号列および第３番号列の各々に一致する番号列を検索キーワードとして送信するとともに、この送信にともない検索エンジン９０から返信される検索結果を受信する。なお、検索結果には、検索キーワードに基づき抽出されたウェブサイトに係る要約情報およびそのウェブサイトのＵＲＬが含まれている。
【００６１】
そして、ＣＰＵ１０３は、例えば、図４に示すような態様で、Ｓ１１０で受信した検索結果をディスプレイ１２５に表示する（Ｓ１１２）。
【００６２】
ここで、ＲＡＭ１０７に記憶される電話番号が利用者による操作パネル１２７の操作による、すなわち、発信によるものである場合、通信ユニット１０は、ディスプレイ１２５への検索結果の表示を条件として、発信する構成とすることもできる。また、ＲＡＭ１０７に記憶される電話番号が回線インターフェース１１３による受信、すなわち、受信によるものである場合、通信ユニット１０は、ディスプレイ１２５への検索結果の表示を条件として、呼出音が発せられる構成とすることもできる。このような構成によれば、通信相手先に係る情報を表示可能な状態、換言すれば、特定の相手先への発信または特定の相手先からの着信であることを、各動作の前に複合機１の利用者に知らせることができる点において、好適である。
【００６３】
なお、検索結果については、ディスプレイ１２５への表示とともに、または、この表示を行うことなく、プリンタユニット２０のプリンタ２１３を介して印刷することも可能で、ディスプレイ１２５の画面サイズが小さい場合、かかる構成は好適である。
【００６４】
以上、実施例１として記載のこのような構成により、例えば、目的とするウェブサイトに電話番号が「052-134-6789」または「052(134)6789」の態様（「0521346789」以外の態様）として掲載されている場合においても、ＲＡＭ１０７に入力された電話番号に関連する通信相手先の名称を精度良く検索し、これを表示することができる。換言すれば、検索キーワードをＲＡＭ１０７に記憶された態様、すなわち、「0521346789」とした場合、ＲＡＭ１０７に入力された電話番号に関連する通信相手先の名称を検索することができないまたは困難となる。
【００６５】
なお、上記説明では、日本国内における固定電話を例に説明したため、Ｓ１０４における判定の基準を、ＲＡＭ１０７が記憶する電話番号の桁数が１０桁であるか否かとした。しかし、上記実施例と同様の構成を、例えば、国内の携帯電話に適用するのであれば１１桁を、さらに、国外で利用される電話装置に適用するのであれば、その国の電話番号の桁数を判定の基準とする構成を採用すればよい。
【００６６】
また、上記Ｓ１０８では、ＣＰＵ１０３は、ＥＥＰＲＯＭ１０９に記憶されている各地域の市外局番から１つを選択し、これと同一桁数の番号列をＲＡＭ１０７に記憶されている電話番号の先頭から抽出するとともに、両者を対比し、抽出された番号列に一致する市外局番を第１番号列として特定するまで、この判定処理を繰り返し行う構成について説明した。しかし、各地域の市外局番としてＥＥＰＲＯＭ１０９に記憶されている総ての市外局番に対してこの処理を実行する構成としても良い。かかる場合、1つの第３番号列に対して、第１番号列と第２番号列の組が複数個特定されることとなる。Ｓ１１０では、その組数分、検索エンジンに対して検索キーワードを送信し、各々の検索キーワードについて検索結果を受信するとともに、Ｓ１１２では、これら複数の検索結果各々をディスプレイ１２５に表示する構成、または、複数の検索結果を編集し、編集後の検索結果をディスプレイ１２５に表示する構成を採用すると好適である。
【００６７】
また、上記説明では、複合機１が検索エンジン９０に対して、電話番号を市外局番、市内局番および加入者番号毎に分割して得た第１番号列、第２番号列および第３番号列の各々に一致する番号列を検索キーワードとして直接送信する構成を採用した。しかし、複合機１は、検索エンジン９０と直接データ通信できないような場合、具体的には、複合機１がＬＡＮ１１０に接続されたＰＣ１１０にローカルに接続されている場合、複合機１は、検索エンジンのＵＲＬと検索キーワードをこのＬＡＮ９０に接続されたＰＣ１１０に送信し、ＰＣ１１０経由で上記検索を実行し、その結果をＰＣ１１０から受信する構成、または、複合機１は、検索エンジン９０のＵＲＬとＲＡＭ１０７が記憶する電話番号に係る番号列を、このＰＣ１１０に送信し、ＰＣ１１０において前記第１番号列等を特定し、ＰＣ１１０経由で上記検索を実行し、その結果をＰＣ１１０から受信する構成、とすることもできる。
【００６８】
なお、上記の場合、ＰＣ１１０が検索エンジン９０のＵＲＬを記憶しておき、このＵＲＬによって特定される検索エンジン９０に対して、第１番号列等に一致する番号列を検索キーワードとして送信する構成とすることもできる。かかる場合、複合機１からＰＣ１１０に対して検索エンジン９０のＵＲＬは送信されない。
【００６９】
ここで、ＰＣ１１０経由で検索を実行する場合、検索結果については、ＰＣのディスプレイ上に表示する構成を採用すると好適である。
【００７０】
（実施例２）
図５は、実施例２に係る複合機のＣＰＵが実行する処理を示す。ここで、実施例２の複合機は、実施例１における複合機１と図３のＳ１１２において異なる構成を採用するものであり、その他の構成については同一である。そこで、以下に相違する点を中心に説明する。
【００７１】
先ず、ＣＰＵ１０３は、Ｓ２００〜Ｓ２１２を実行する。なお、かかる処理は図３のＳ１００〜Ｓ１１２各々と同一の処理である。
【００７２】
ここで、Ｓ２１２において検索結果を表示した後（図４参照）、ＣＰＵ１０３は、表示中の検索結果から特定のウェブサイトが操作パネル１２７を介して利用者により選択されるまで待機する（Ｓ２１４：ＮＯ）。そして、操作パネル１２７を介して利用者により特定のウェブサイトが選択された場合（Ｓ２１４：ＹＥＳ）、選択されたウェブサイトにアクセスし、これに応じてウェブサイトから送られてくるデータを、ディスプレイ１２５に表示する（Ｓ２１６）。例えば、図４の態様において、検索結果として最上位に表示されている株式会社ＡＡＡＡのウェブサイトが選択された場合（Ｓ２１４：ＹＥＳ）、この株式会社ＡＡＡＡのウェブサイトのＵＲＬ（http://www.aaaa.co.jp/）に基づき、そのウェブサイトにアクセスし、これに応じてウェブサイトから送られてくるデータを、例えば、図６の態様で、ディスプレイ１２５に表示する（Ｓ２１６）。
【００７３】
なお、上記説明では、ウェブサイトへのアクセスに際し、利用者の選択を要件としたが、例えば、検索結果として最上位に表示されるウェブサイトに自動的にアクセスする構成とすることもできる。かかる場合、目的とするウェブサイト、すなわち、ＲＡＭ１０７に入力された電話番号に関連する通信相手先の名称その他の情報を早急に表示することができる。
【００７４】
（実施例３）
図７は、実施例３に係る複合機のＣＰＵが実行する処理を示す。ここで、実施例３の複合機は、実施例１における複合機１と図３に係る処理において一部異なる構成を採用するものであり、その他の構成については同一である。そこで、以下に相違する点を中心に説明する。
【００７５】
先ず、ＣＰＵ１０３は、Ｓ３００、Ｓ３０２及びＳ３０４を実行する。なお、かかる処理は図３のＳ１００、Ｓ１０２およびＳ１０４各々と同一の処理である。
【００７６】
ここで、Ｓ３０４の判定において、その判断が肯定される場合（Ｓ３０４：ＹＥＳ）、Ｓ３０６へ移行する一方、判断が否定される場合（Ｓ３０４：ＮＯ）、Ｓ３０８へ移行する。なお、Ｓ３０８は、図３のＳ１０８と同一の処理である。
【００７７】
Ｓ３０６において、ＣＰＵ１０３は、Ｓ３０８（図３のＳ１０８参照）と同様の処理を実行する。すなわち、ＣＰＵ１０３は、先ず、ＲＡＭ１０７に記憶されている電話番号から、加入者番号に相当する第３番号列を特定する。具体的には、ＣＰＵ１０３は、ＲＡＭ１０７が記憶する電話番号の下４桁を、第３番号列として特定する。
【００７８】
つづけて、ＣＰＵ１０３は、残部、すなわち、第３番号列として特定されなかった番号を市内局番に相当する第２番号列として特定する。
【００７９】
Ｓ３１０において、ＣＰＵ１０３は、ＥＥＰＲＯＭ１０９から検索エンジン９０のＵＲＬを読み出すとともに、このＵＲＬによって特定される検索エンジン９０に対して、上記Ｓ３０６で特定された第２番号列および第３番号列の各々に一致する番号列またはＳ３０８で特定された第１番号列、第２番号列および第３番号列の各々に一致する番号列を、検索キーワードとして送信する。そして、この送信にともない検索エンジン９０から返信される検索結果を受信し、Ｓ３１２へ移行する。
【００８０】
ここで、検索結果の受信にともなう表示の処理（Ｓ３１２）については、図３のＳ１１２と同一の処理である。なお、この検索結果の受信にともなう表示の処理については、上記実施例２の構成を採用することもできる。
【図面の簡単な説明】
【００８１】
【図１】本発明実施例に係る複合機の構成及びこの複合機を含むネットワークシステムを示す図
【図２】本発明の実施例に係る交換機から複合機に送信されてくる信号を示した図
【図３】本発明の実施例１に係る処理の手順を示す図
【図４】本発明の実施例に係る検索結果の表示態様を示す図
【図５】本発明の実施例２に係る処理の手順を示す図
【図６】本発明の実施例に係る通信相手先に係るウェブサイトの表示態様を示す図
【図７】本発明の実施例３に係る処理の手順を示す図
【符号の説明】
【００８２】
１  複合機
１０  通信ユニット
１０３  ＣＰＵ（通信ユニット側）
１０５  ＲＯＭ（通信ユニット側）
１０７  ＲＡＭ（通信ユニット側）
１０９  ＥＥＰＲＯＭ
１２５  ディスプレイ
１２７  操作パネル
【図１】
2008236459.tif 000003
【図２】
2008236459.tif 000004
【図３】
2008236459.tif 000005
【図４】
2008236459.tif 000006
【図５】
2008236459.tif 000007
【図６】
2008236459.tif 000008
【図７】
2008236459.tif 000009